(57)【特許請求の範囲】
【請求項１】
滑らかな前内側曲線を有する中空の髄内管；伸長したヒップスクリュ；セットスクリュ；「三重ワイヤ」と総称される細長い装置；ロックスクリュ（６）から構成される骨支持固定装置であって；
前記髄内管は、上側円筒近位部分及び下側遠位部分であって；該近位部分の上側端は、前記ヒップスクリュを該近位部分の底部に向かって固定するためにねじが切られたセットスクリュが通るねじ穴を有し；該ねじ穴の長さは、前記管の全長の約１／３である、上側円筒近位部分及び下側遠位部分；上方に傾斜したヒップスクリュ受け入れ穴であって、寛骨に入る前記ヒップスクリュのねじ部分とともに該穴を通して前記ヒップスクリュを固定する、ヒップスクリュ受け入れ穴を含み；前記近位部分における前記傾斜した穴の縁は「Ｃ」字形状の表面を有し；前記髄内管は、軽量である固定装置を提供するために材料の使用を最小限に抑えるように、該管の前記近位部分の下側部分及び該管の完全な遠位部分を通して形成される幅狭のボアを有し；端部キャップが通って進む端部キャップ受け入れねじ部分であって、セットスクリュ受け入れ雌ねじよりも大きい直径を有する、端部キャップ受け入れねじ部分を含み；容易な把持のために近位端に３つの開口を有し；遠位端は、滑らかに丸みを帯びた端を有する円錐セクションを有し；遠位の断面を通して形成される、滑らかに湾曲した表面を有する水平な長円形スロットを有し；前記管の前記遠位部分（８）の外面に沿って形成され、クローバー状の断面になる、滑らかに形成された湾曲した表面を有する３つの等間隔に離間した細長いＶ字溝を含み；
ヒップスクリュは、その近位端にセルフタッピングねじ部分を、及び、その遠位端に４つの等間隔に離間した長手方向溝を有する中空のシャフトを含み；前記溝は、ダイナミゼーションを助けるように異なる地点に可変の高さを有し；前記ヒップスクリュは、材料及び重量を節減するように、前記スクリュの一端からの幅狭の長手方向ボアが設けられ；２つの同軸のボアを有し；大腿骨頭の皮質の術後の穿孔のいかなる可能性も最小限に抑えられるように、軽度の面取り又は丸みを有する実質的に平坦な遠位端面が設けられ；前記ヒップスクリュの前記遠位端は、４つの十字形のスロット及び幅広のねじボアを有し；前記三重ワイヤの遠位への移動を防止するように、前記三重ワイヤのボールにわたる前記遠位端の端部キャップを含み；該端部キャップは、前記細長い装置を引き出し可能であるように該細長い装置の前記ボールを受け取る穴を有するシャフトから構成され；前記端部キャップは、六角形ヘッド、及び、端に縮径部を有するねじ部分から更に構成され、前記ヒップスクリュの遠位のねじボアに入ることを容易にし、前記ヒップスクリュは、前記傾斜した固定穴内に位置付けられ；前記セットスクリュは、該セットスクリュの滑らかに丸みを帯びた下側端が前記ヒップスクリュの前記近位端の４つの溝のうちの１つに位置付けられるように、前記ねじボア内に位置付けられ；前記ヒップスクリュが前記固定穴に対して理想的な位置に位置付けられた状態で該固定装置が患者に装着されることを確実にし；
前記セットスクリュは、ねじが切られた上側端及び滑らかに丸みを帯びたボール−ノーズ下側端を有する中実のシャフトから構成され、アレンキーを受け入れるように前記シャフトの上面を通して形成される六角形穴があり；
前記ロックスクリュは、ねじシャフト部分、アレンキーを受け入れるように上面を通して形成される六角形穴を有する拡径ヘッド部分、及び、セルフタッピングねじ端を備え；前記ヘッドが大腿骨の骨幹軸の外側に突出し、前記セルフタッピング部分が前記大腿骨の反対側の壁への経路を切り開くように十分に長く；
前記細長い装置は、丸みを帯びているか又は面取りされた先端部を有する等しい長さの３つのステンレス鋼ワイヤを一緒に溶接することによって構成され；前記ワイヤは予め反っており、フレア状であり、強固であり；前記ステンレス鋼ワイヤが挿入され、溶接、ろう付け、はんだ付け、圧着又は圧入される３つの穴を有する管から構成され；該管は、前記ボールの軸が直接的に該管の長手方向軸上に、それによって前記細長い装置の軸の中心上にあるため、容易な操作のために、拡径ヘッド、平坦にフライス加工されたボール終端先端部からなり；回転を防止するようにこれらの突起が骨支持体の前端を囲む骨に貫入することを可能にするよう、前記ヒップスクリュの３つのティアドロップ穴を通って移動するように位置決めされ；
釘端部キャップは、中実のシャフト、ねじ部分、拡径ヘッドの平坦な上面及びアレンキー受け入れ六角形穴から構成され、前記ねじ穴を通して前記髄内管に固定され；
前記突起は、前記ヒップスクリュの前記ティアドロップ穴からガイドされて出て；前記ティアドロップ穴は、楔形状の前縁を有して前記ヒップスクリュのテーパ状の首部において前向きの角度で該テーパ状の首部に配置され；前記ワイヤの先端部は前記ヒップスクリュの方向に前記管に沿って移動し；前記楔形状の前縁はガイドをもたらし；前記楔の後縁も、該後縁に対する前記ワイヤの支点における最小限の応力の集中を可能にするように角度が付けられており；各ティアドロップ穴の長さは、前記ワイヤのそれぞれに、前記骨に係合するように前記管から出現するときにより高い拘束を提供するような比率にされ；ワイヤと前記ヒップスクリュとの間の移動の最大限の制御を提供し、より迅速な骨の治癒をもたらし；前記三重ワイヤは、転子間骨折を安定化させるだけではなく、大腿骨の頚部の関節包内骨折の回転安定性も維持し、閉鎖性髄内方法による前記関節包内骨折への効果を広げる、骨支持固定装置。
【請求項２】
円形であり、遠位の断面を通して形成され、縁は滑らかに湾曲した表面を有して形成される開口によって、前記長円形スロットが代替される、請求項１に記載の骨支持固定装置。
【請求項３】
円形及び長円形の組み合わせであり、遠位の断面を通して形成され、縁は滑らかに湾曲した表面を有して形成される開口によって、前記長円形スロットが代替される、請求項１に記載の骨支持固定装置。
【請求項４】
前記管にわたる上側近位部分の軸が、４°の角度にある、請求項１に記載の骨支持固定装置。
【請求項５】
前記ヒップスクリュのテーパ状の首部が、直線的な首部によって代替される、請求項１に記載の骨支持固定装置。
【請求項６】
前記ティアドロップ穴が、スロットで代替される、請求項１に記載の骨支持固定装置。
【請求項７】
前記スロットは、径方向に面する長さ「Ｌ」を有してヒップスクリュ管の壁に位置付けられ、単純な正方形の端を有し；前記スロットの長さＬは、ガイド手段を提供するのに十分な長さであり、関連する突起の端を、前記スロットを通して押して周囲の骨に入れることを可能にし；前記突起と前記スロットとのフィットは可能な限り最小限の隙間を有するぴったりとしたものである、請求項６に記載の骨支持固定装置。
【請求項８】
前記三重ワイヤが、前向きの角度の前縁及び直線的な正方形の後縁を有する、請求項１に記載の骨支持固定装置。
【請求項９】
前記スロットは機械加工によって形成され、より短く；各スロットの前縁は径方向内方にかしめられ、それによって、より効果的なガイド手段を提供し；結果として、各ワイヤの前縁が、前記スロットを通した前記ガイド手段を見出し、前記スロットの寸法は前記ワイヤの直径により近い、請求項６に記載の骨支持固定装置。
【請求項１０】
前記ヒップスクリュの壁は、前記管の壁へのこの切り込みによって大幅な材料が除去されないように切り取られ；前記切り込み部の前側は内方にかしめられ、前記ワイヤが通って出現する長手方向に面する窓につながり；ガイド手段は、前記ワイヤの成形された前端、及び、出口窓の内方に変形した縁によって提供される、請求項１に記載の骨支持固定装置。
【請求項１１】
前記ヒップスクリュには、該ヒップスクリュ内に嵌まる環状部材が設けられ；該環状部材は、前記ワイヤと協働するように構成されている成形された表面を有し；該環状部材は、前記ワイヤの前縁が前記ヒップスクリュの壁の開口に達する前に該環状部材に係合するように前記ヒップスクリュの内方に突出し；出現するワイヤに更なる支持を与えるトンネルが形成され、前記ヒップスクリュに対する全ての方向への移動を最小限に抑え；精密なプラグが前記ヒップスクリュの端に嵌められてこれを達成する、請求項１に記載の骨支持固定装置。
【請求項１２】
前記プラグが、前記管内に溶接されるスリーブを含む環状部材で代替される、請求項１１に記載の骨支持固定装置。
【請求項１３】
前記プラグが、別個のインサートで代替され、機械スロットに嵌めることは、所定の位置に別個に溶接、ろう付け、はんだ付け又はぴったりと嵌めることである、請求項１１に記載の骨支持固定装置。
【請求項１４】
前記ティアドロップ穴が、直線的な穴で代替される、請求項１に記載の骨支持固定装置。
【請求項１５】
前記三重ワイヤが、大きい平坦な表面積に正比例する優れた操作を提供する、請求項１に記載の骨支持固定装置。
【請求項１６】
前記ヒップスクリュを通して突出する２つの平坦な予め反った平坦部から構成され；別個の平坦な予め反った平坦部は互いに溶接されず、単一の穴又はスロットからなる前記ヒップスクリュにおいてのみ溶接される装置によって、前記細長い装置が代替される、請求項１〜１５のいずれか一項に記載の骨支持固定装置。
【請求項１７】
前記細長い装置が、対応する数のスロット又は穴を用いて、複数の正方形の断面のワイヤから構成される、請求項１〜１６のいずれか一項に記載の骨支持固定装置。
【請求項１８】
前記細長い装置が、対応する数のスロット又は穴を用いて、複数の円形の断面のワイヤから構成される、請求項１〜１６のいずれか一項に骨支持固定装置。
【発明の詳細な説明】
【技術分野】
【０００１】
本発明は特に、回転安定性が改善した、大腿骨の大腿骨頚部、転子及び転子下領域の骨折を固定する個々の要素から構成されるインプラントに関する。
【背景技術】
【０００２】
股関節の近傍における大腿骨骨折を固定する装置が既知である。
【０００３】
市場には、臀部近くの骨折を固定するために使用することができる種々の装置がある。これらの装置は、長年にわたって、股関節骨折の回転安定性を改善しようとするために数回反復されている。釘設計の幾つかは、スクリュ上の１つのリーマ状のねじ山及びセメントの増強の代わりに、２つのヒップスクリュを組み込むことを含む。増強セメントは、必要時に臀部に損傷を与えることなくヒップスクリュを取り出すことがほぼ不可能であるという不都合点を有する。市場における現在の設計には幾つかの不都合点があり、その主なものは、骨折の回転安定性を改善させると分かっていないことである。また、設計反復が頻繁であることは、骨折片の回転安定性についての問題を提起する。
【０００４】
現在の髄内釘システムには、閉鎖性髄内方法によって関節包内骨折に使用することができないという不都合点がある。
【０００５】
本発明は、回転安定性、及び、閉鎖性髄内方法による関節包内骨折の治療に関する不都合点を克服しようとするものである。
【０００６】
従来技術：
本発明の発明者による骨支持に関連する情報が以下の特許において開示されている：
【０００７】
「DEVICE FOR FIXING FEMUR FRACTURES」と題する特許文献１は、大腿骨の大腿骨頚部、転子及び転子下領域の骨折の治療において使用される装置であって、大転子を通して大腿骨骨幹軸に導入することができる、滑らかに湾曲した髄内管、髄内管の固定穴を通して大腿骨頚部に（大腿骨の皮質外層を通して）、並びに、大腿骨頚部及び骨頭の海綿骨に導入することができるヒップスクリュ；並びに、ヒップスクリュに係合するように髄内管内に収容されるセットスクリュを組み込む、装置を提供する。セットスクリュは、ヒップスクリュの複数の長手方向溝のうちの１つに係合し、髄内管の穴を通したヒップスクリュの限られた軸方向移動を可能にすることができる。管には、大腿骨骨幹軸に対する回転を防止することを助けるために、クローバー型セクションを設けることができる。装置は、左側及び右側の大腿骨の双方に好適である。
【０００８】
「BONE SUPPORT」と題する特許文献２は、骨支持体であって：後端及び前端を有する中空の細長い管であって；骨の内部の長さの少なくとも実質的な部分に沿って挿入可能である、中空の細長い管；当該中空の管内に位置決めされる細長い固定装置であって、後端及び前端を有し、当該細長い固定装置の前端は、管の前端を囲む骨に係合し、したがって骨回転防止手段として働くように管から延びることができる複数の突起を有する、細長い固定装置を備え、当該細長い固定装置は、管の後端から操作可能であり；管の前端は側部孔を有し；骨支持体は、内側端及び外側端を有する端部プラグを含み；プラグの内側端は、上記側部孔に隣接する内方にテーパ状になる表面を有し、この表面は、細長い固定装置が管内で管の前端に向かって移動すると固定装置の突起に係合し、突起とテーパ状の表面との係合は、突起をガイドして上記側部孔から出すことで、突起が外方に広がるとともに管の前端を囲む骨に貫入する。
【０００９】
「IMPROVEMENTS IN OR RELATING TO BONE SUPPORT」と題する特許文献３。支持体は、特に上腕骨に挿入される中空の細長い端部が開口した釘を含み、固定ワイヤが釘を通して挿入され、骨頭に埋め込まれる。釘の遠位端では、遠位固定スクリュが、骨の後部皮質を、釘を介して前部皮質まで通過し、釘に対する骨の遠位端の回転移動を阻止する。固定ワイヤの外方への移動は、骨の近位端への最小限の撹乱しか引き起こさない穿孔効果を有するが、近位端を釘に効果的にロックもし、その端の相対回転を防止する。
【００１０】
したがって、埋め込みが容易な、関節包内骨折を含む大腿骨の近位端に用いることができる既存の髄内インプラントの回転安定性を改善し、かつ、周囲の骨に損傷を与えることなく容易に取り出すことができる装置が必要とされている。
【先行技術文献】
【特許文献】
【００１１】
【特許文献１】英国特許第２２０９９４７号
【特許文献２】米国特許出願公開第２００７０２８８０１６号
【特許文献３】英国特許第２２５６８０２号
【発明の概要】
【発明が解決しようとする課題】
【００１２】
本発明の目的は、従来技術の装置よりも臀部領域の周りの骨折片の回転安定性が改善した、髄内「釘」と一般的に称される細長い中空管の形態の、骨支持体の個々の要素から構成されるインプラントを提供することである。
【００１３】
本発明の更なる目的は、関節包内骨折も固定することができる髄内装置を提供することである。本発明のまた別の特徴は、製造が容易な骨支持体を提供することである。また別の目的は、装置を容易に経皮的に埋め込むことである。本発明の更なる目的はまた、周囲の骨に損傷を与えることなく容易に取り出すことができるヒップスクリュを提供することである。本発明の更なる目的はまた、ヒップスクリュによって用いられる同じ標的装置を使用して装置を挿入することが可能であることである。
【課題を解決するための手段】
【００１４】
本発明は、（ｉ）ヒップスクリュに挿入することができる、３つの「弾性的な」近位に湾曲したワイヤからなる細長い装置、（ｉｉ）遠位端における端部キャップからなるヒップスクリュ、及び、（ｉｉｉ）近位端において組み込まれるセットスクリュである個々の構成要素を有するインプラントから構成される。
【００１５】
本発明は、本明細書において以下で細長い要素と称される、大腿骨の頚部、転子又は転子下領域において直面し得る全ての骨折を固定するのに好適なものにする、無傷の大腿骨の髄管に挿入することができる、上側大腿骨骨幹軸の内部の幾何学的形状に密にフィットする滑らかに湾曲した管を生じる個々の要素から構成されるインプラントに関する。この要素は関節包内骨折も固定することができる。
【００１６】
本発明の細長い要素は、筋肉を大幅に切らないか又は骨折血腫を妨げない、２つの小さい切開部を通して挿入することができる。本発明のインプラントは、骨折の手術による圧迫を可能にするとともに、この圧迫を保持しながらも体重支持の力下で骨折の更なる圧迫が生じるにつれて摺動を可能にする、長手方向スロット付きのヒップスクリュから構成される。これは、その上側近位端にねじ部分を有する中空の円筒シャフト又は細長い装置、及び、その下側遠位端の４つの等間隔に離間した長手方向溝から構成される。これらの端間には、３つのワイヤを挿入することができる３つの等間隔に離間した角度が付いた穴がある。
【００１７】
細長い要素は、ヒップスクリュに挿入することができる、遠位に溶接、接着又は圧着される３つの「弾性的な」近位に湾曲したワイヤからなる。これは「三重ワイヤ」と総称される。三重ワイヤの近位端は、外方に湾曲したワイヤを有し、全ての３つのワイヤは等間隔に離間する。三重ワイヤをヒップスクリュ内に押すと、ワイヤはヒップスクリュの角度が付いた穴を通り、等間隔に離間した３つの突起を提供する。これが近位骨折片の回転安定性を改善する。これは、骨折のいかなるダイナミゼーションも防止しない。この追加の三重ワイヤは、より良い回転安定性に起因して骨折の治癒を改善する。細長い要素は、三重ワイヤの遠位端におけるボールからなり、容易に取り出すことができる。
【００１８】
ヒップスクリュは、三重ワイヤの遠位への移動を防止するように、三重ワイヤのボールにわたる遠位端の端部キャップからなる。
【００１９】
釘の近位端に組み込まれるセットスクリュは、ヒップスクリュの回転を防止するようにヒップスクリュの長手方向スロット内に着座する。
【００２０】
インプラント又は固定装置は、大腿骨の頚部、転子又は転子下領域において直面し得る全ての骨折を固定するのに好適なものにする、無傷の大腿骨の髄管に挿入することができる、上側大腿骨骨幹軸の内部の幾何学的形状に密にフィットする滑らかに湾曲した管を有する。この装置は関節包内骨折も固定することができる。上記インプラントは、筋肉を大幅に切らないか又は骨折血腫を妨げない、２つの小さい切開部を通して挿入することができる。
【００２１】
上記装置は、骨折の手術による圧迫を可能にするとともに、この圧迫を保持しながらも体重支持の力下で骨折の更なる圧迫が生じるにつれて摺動を可能にする、長手方向スロット付きのヒップスクリュを有する。この装置は、その上側近位端にねじ部分を有する中空の円筒シャフト、及び、その下側遠位端の４つの等間隔に離間した長手方向溝から構成される。これらの端間には、３つのワイヤを挿入することができる３つの等間隔に離間した角度が付いた穴がある。この細長い装置は、ヒップスクリュに挿入することができる、遠位に溶接、接着又は圧着される３つの「弾性的な」近位に湾曲したワイヤからなる。これは「三重ワイヤ」と総称される。三重ワイヤの近位端は、外方に湾曲したワイヤを有し、全ての３つのワイヤは等間隔に離間する。三重ワイヤをヒップスクリュ内に押すと、ワイヤはヒップスクリュの角度が付いた穴を通り、等間隔に離間した３つの突起を提供する。これが近位骨折片の回転安定性を改善する。これは、骨折のいかなるダイナミゼーションも防止しない。この追加の三重ワイヤは、より良い回転安定性に起因して骨折の治癒を改善する。細長い装置は、三重ワイヤの遠位端におけるボールからなり、容易に取り出すことができる。
【００２２】
ヒップスクリュは、三重ワイヤの遠位への移動を防止するように、三重ワイヤのボールにわたる遠位端の端部キャップからなる。
【００２３】
釘の近位端に組み込まれるセットスクリュは、ヒップスクリュの回転を防止するようにヒップスクリュの長手方向スロット内に着座する。
【図面の簡単な説明】
【００２４】
【図１】組み立てられていない状態の固定装置を示す図である。
【図２】髄内管の上面図である。
【図３】髄内管の異なる形状の開口の配置を示す図である。
【図４】髄内管の溝の配置を示す図である。
【図５】ヒップスクリュをその種々の構成要素とともに示す図である。
【図６】スクリュのセットをその種々の構成要素とともに示す図である。
【図７】細長い装置をその種々の構成要素とともに示す図である。
【図８】ワイヤのうちの１つが他のワイヤよりも長い三重ワイヤを示す図である。
【図９】端部キャップをその種々の構成要素とともに示す図である。
【図１０】テーパ状の首部、直線的な首部、細長いティアドロップ及びスロットの種々の実施形態を示す図である。
【図１１】髄内管の開口に対する変形形態である。
【図１２】種々のタイプの拡径ヘッドを示す図である。
【図１３】三重ワイヤに対する種々のオプションを示す図である。
【図１４】大腿骨頭、転子及び大腿骨頚部への固定装置の配置を示す図である。
【発明を実施するための形態】
【００２５】
図１には、組み立てられていない状態の固定装置１が示されている。これは概して、髄内管２、伸長したヒップスクリュ３、セットスクリュ４、「三重ワイヤ」５と総称される細長い装置、及び、ロックスクリュ６を備える。
【００２６】
髄内管２は、上側円筒近位部分７及び下側遠位部分１０から構成される。近位部分７の上側端は、ヒップスクリュ３を固定するためにねじが切られたセットスクリュ４が通るねじ穴９を有する。近位部分７の底部に向かって、管２の全長の約１／３であるその長さは、上方に傾斜したヒップスクリュ受け入れ穴１０であり、それによって、ヒップスクリュ３を、寛骨に入るヒップスクリュのねじ部分とともに穴１０を通して固定することができる。近位部分７において合流する傾斜した穴１０の縁は、「Ｃ」字形状の表面１１を有する。髄内管２には、この実施形態では、管の近位部分の下側部分、及び、管の全体的な遠位部分を通して形成される幅狭のボア１２が設けられる。そのような幅狭のボア１２の機能は、材料の使用を最小限に抑え、合理的に可能な限り軽量である固定装置１を提供することである。セットスクリュ受け入れ雌ねじ９に加えて、髄内管２は、端部キャップ１４が通って進む端部キャップ受け入れねじ部分１３からもなる。端部キャップ受け入れねじ部分１３は、セットスクリュ受け入れ雌ねじ９よりも直径が大きい。管２は、３つの開口、すなわち、近位端のスロット１５からなり、管２が器具によって保持されることを可能にする。ヒップスクリュ３は、傾斜した固定穴１０内に位置付けられ、セットスクリュ４はねじが切られたボア８内に位置付けられ、それによって、セットスクリュの滑らかに丸みを帯びた下側端３７を、ヒップスクリュ３の近位端の４つの溝２７のうちの１つに位置付けることができる。このように、固定装置１を、固定穴１０に対して理想的な位置に位置付けられるヒップスクリュによって患者に装着することができるが、骨折が短縮したとしても、セットスクリュは、管２の固定穴１０内のヒップスクリュ３の望ましい摺動を妨げない。本明細書において、図１に示されている「三重ワイヤ」５と総称される細長い装置は、面取りされているか又は丸みを帯びた先端部４５を有する３つの突起４２、４３、４４を有する（図７においてより詳細に記載する）。骨支持体を使用するときのその目的は、突起４２、４３、４４を、ヒップスクリュ３の３つのティアドロップスロット３４を通して移動させるように配置し、それによって、これらの突起が骨支持体の前端を囲む骨に貫入して回転を防止することである。本発明は、突起４２、４３、４４がヒップスクリュ３のティアドロップ穴３４から出るようにガイドされる方法にも関する。
【００２７】
図２は、図示の上面図において、近位端にある管の３つの開口、すなわちスロット１５をはっきりと示している。髄内管２の遠位端は、滑らかに丸みを帯びた端２０を有する円錐セクション１９を備える。この好ましい実施形態では、管２の遠位端に向かって、遠位の断面を通して形成される水平な長円形スロット１６が位置付けられる。長円形スロット１６の縁は、滑らかに湾曲した表面１７を有して形成される。
【００２８】
他の形態の髄内管２では、一対の穴１８又は単一の穴１８及び長円形スロット１６がある可能性があり、これらはともに図３に示されている。
【００２９】
図４に示されている実施形態では、クローバー状の断面を提供するように、管の遠位部分８の外面に沿って３つの等間隔に離間した細長いＶ字溝２１が形成されている。傾斜する固定穴１０と同様に、それぞれのＶ字溝２１の周りの縁には、滑らかに湾曲した表面２２が形成される。この実施形態は、図４に関して予期される全ての図に示されているような滑らかな遠位表面８からなる。
【００３０】
図５は、その近位端２６にあるセルフタッピング２４ねじ部分２５、及び、その遠位（下側）端２１０にある４つの等間隔に離間した長手方向溝２７を有する中空のシャフト２３から構成されるヒップスクリュ３を示している。溝２７は、ダイナミゼーションを助けるように異なる地点に可変の高さを有する。これは図５にはっきりと示されている。ヒップスクリュ３には、材料及び重量を節減するように、スクリュの一端から他端に幅狭の長手方向ボア２９が設けられている。図５に示されているこの実施形態は、２つの同軸のボア２９からなる。この実施形態では、ヒップスクリュ３には、図５に示されているように軽度の面取り又は丸み３１を有する実質的に平坦な遠位端面３０が設けられており、それによって、大腿骨頭の皮質の術後の穿孔のいかなる可能性も最小限に抑えられる。加えて、ヒップスクリュの遠位端は、４つの十字形のスロット３２及び幅広のねじボア３３を含む。ヒップスクリュの十字形のスロット３２及び幅広のねじボア３３の構成は、図面の図５の右側を参照してよりはっきりと理解されるであろう。
【００３１】
図６において、セットスクリュ４は、ねじが切られた上側端３６及び滑らかに丸みを帯びたボール−ノーズ下側端３７を有する中実のシャフト３５を含み、アレンキーを受け入れるようにシャフトの上面３９を通して形成される六角形の穴３８がある。
【００３２】
ここで図６を参照すると、ロックスクリュ６は、ねじが切られたシャフト部分３８、アレンキーを受け入れるように上面を通して形成される六角形の穴４０を有する拡径ヘッド部分３９、及び、セルフタッピングねじ端４１から構成される。
【００３３】
細長い装置は、図７においてはっきりと分かるように、３つのステンレス鋼ワイヤ４２、４３、４４を一緒に溶接することによって構成される。ワイヤは、予め反っており、フレア状であり、強固である。この実施形態は、３つの穴４７からなる管４６からなり、穴４７に、ステンレス鋼ワイヤが挿入され、溶接、ろう付け、はんだ付け、圧着又は圧入される。この管は、拡径ヘッド４８、この場合は平坦にフライス加工されたボール終端先端部４９からなり、これは操作を容易にする。この実施形態は、ボール４８の軸が直接的に管の長手方向軸上に、それによって細長い装置５０の軸の中心上にあるため、操作に関して勝ると考えられる。
【００３４】
この三重ワイヤ５の他の実施形態は、３つのワイヤ４２＿ａ、４３＿ａ及び４４＿ａからなることができ、最長のワイヤ（４４＿ａ）が、図８に示されているように拡径ヘッド４８において終端する。この特定の実施形態には、拡径ヘッド４８が細長い装置３の長手方向軸５０に沿うものではないという不都合点がある。これは、この実施形態の操作を、好ましい実施形態よりも難しくする。
【００３５】
図１に示されているように、ヒップスクリュ３は、三重ワイヤの遠位への移動を防止するように、三重ワイヤのボールにわたる遠位端の端部キャップ５１からなる。図９に示されているような端部キャップは、細長い装置５を引き出し可能であるように細長い装置のボール４９を受け取る穴５３を有するシャフト５２からなる。端部キャップは、六角形ヘッド５４、及び、ヒップスクリュ３の遠位のねじボア３３に入ることを容易にするために端５６に縮径部を有するねじ部分５５からもなる。
【００３６】
図９に示されているように、釘端部キャップ１４は、中実のシャフト（５７）、ねじ部分（５８）、拡径ヘッド（５９）の平坦な上面、及び、アレンキー受け入れ六角形穴（６０）からなる。端部キャップ１４は、ねじ穴１３を通して髄内管２に固定される。
【００３７】
図１０．１〜図１０．１２は、特に三重ワイヤ突起４２、４３、４４の種々のタイプの穴／スロットを示す、ヒップスクリュ３の分解横断面図を示している。
【００３８】
図１０．１ａは、現在の最も好ましい実施形態のヒップスクリュ３の分解図であり、穴は、三重ワイヤ５が取り付けられた楔形の前縁１０１を有して、ヒップスクリュ３のテーパ状の首部６１において前向きの角度で細長いティアドロップ（３４）の形態である。ワイヤ４２、４３及び４４の面取りされた／丸みを帯びた先端部４５は、ヒップスクリュ３の方向に管に沿って移動し、楔形の前縁１０１に係合することで、必要なガイドを生じる。後縁１０１＿ａも、後縁１０１＿ａに対するワイヤの支点における応力の集中が最小限であるように角度が付いている。各スロットの長さは、骨に係合するように管から出現するにつれて各ワイヤにより大きい制約を与えることによってそこで短縮させることができる。図１０．１ｂは、三重ワイヤ５を有しないヒップスクリュ３の上面分解図を示している。
【００３９】
図１０．２ａ及び図１０．２ｂに示されている代替的な実施形態は、３つのティアドロップ形の穴（３４）が前縁１０１とともに配置される直線的な首部６２を有することができる。
【００４０】
図１０．３は、径方向に面する長さ「Ｌ」を有する、ヒップスクリュ管２の壁の細長いスロットを示している。図１０．３に示されているように、単純な正方形の端１０２の場合、スロットの長さＬは、関連する突起の端を、スロットを通して押して周囲の骨に入れるように出すことを可能にするガイド手段を提供するように比較的長くなければならない。これは、管及び骨の長手方向軸に対して平行な力が骨に印加されるときに、スロットがこの場合にスロットの長さを回動させるため、理想的とは言えない。突起とスロットとのフィットは、好ましくは、可能な限り最小限の隙間を有するぴったりとしたものであるべきである。図１０．３は、テーパ６１を有するヒップスクリュ３の現在の好ましい実施形態を示しており、一方で、図１０．４は直線的な首部６２を有するヒップスクリュを示している。
【００４１】
図１０．５ａは、三重ワイヤ５が前向きの角度の前縁１０３及び直線的な正方形の後縁１０３＿ａを有する第２の好ましい実施形態を示している。これは、図１０．１ａ、図１０．１ｂ、図１０．２ａ及び図１０．２ｂに示されている実施形態と同様である。この実施形態には、後縁１０３ａに対する三重ワイヤ５の支点における応力の集中が、図１０．１ａにおける後縁１０１＿ａによって生じる応力の集中よりも高いという不都合点がある。図１０．５ｂは、分かりやすくするために三重ワイヤ５を有しない第２の好ましい実施形態を示している。図１０．６ａ及び図１０．６ｂは、直線的な首部６２を有するヒップスクリュ３を示している。
【００４２】
図１０．７ａ、図１０．７ｂ、図１０．８ａ及び図１０．８ｂは、テーパ状の首部６１及び直線的な首部６２を有するヒップスクリュ３の第３の好ましい実施形態を示している。スロットは、機械加工によって形成され、前述の実施形態よりも短い。各スロットの前縁１０５は、径方向内方にかしめられ、それによって、より効果的なガイド手段を提供する。各ワイヤの前縁が、スロットを通したガイド手段を見出し、スロットの寸法をワイヤの直径に近づけることができるという保証が高くなる。
【００４３】
図１０．９ａ、図１０．９ｂ、図１０．１０ａ及び図１０．１０ｂは、テーパ状の首部６１及び直線的な首部６２を有するヒップスクリュ３の第４の好ましい実施形態を示している。ヒップスクリュ３の壁は切り取られるが、管の壁へのこの切り込みによって材料は大幅には除去されない。切り込み部の前側は、内方にかしめられ（１０６）、ワイヤが通って出現する長手方向に面する窓につながる。ガイド手段は、ワイヤの成形された前端、及び、出口窓の内方に変形した縁によって提供される。
【００４４】
図１０．１１ａ、図１０．１１ｂ、図１０．１２ａ及び図１０．１２ｂは、テーパ状の首部６１及び直線的な首部６２を有するヒップスクリュ３を有する第５の好ましい実施形態を示している。ヒップスクリュ３には、ヒップスクリュ３内に嵌められる環状部材１０７が設けられる。環状部材１０７は、ワイヤと協働するように構成されている成形された表面１０７＿ａを有する。
【００４５】
環状部材１０７はヒップスクリュ３の内方に突出するため、ワイヤの前縁は、ヒップスクリュ３の壁の開口に達する前に環状部材に係合する。すなわち、出現するワイヤに更なる支持を与えるトンネルが形成され、ヒップスクリュに対する全ての方向への移動を最小限に抑える。この効果は幾つかの方法で達成することができる。精密なプラグをヒップスクリュ３の端に嵌めることができるが、図示の実施形態では、環状部材は、管内に溶接されるスリーブを含む。また別の代替形態では、機械スロットに嵌まる別個のインサートを、所定の位置に別個に溶接、ろう付け、はんだ付け又はぴったり嵌めることができる。
【００４６】
図１０．１１ａ、図１０．１１ｂ、図１０．１２ａ及び図１０．１２ｂに示されている実施形態はより高価な製造を伴うが、この実施形態は、ワイヤとヒップスクリュとの間の移動の最大限の制御を提供することができ、これは骨の治癒に影響を与える上で重要であり得る。
【００４７】
ワイヤの外径とスロットの内側寸法との間に大きな隙間を有するスロットからワイヤが出現する場合、移動範囲が存在する。ワイヤが密にフィットするスロット又は穴から出現する場合、移動の可能性が大幅に低い。ワイヤが図１０．１１ａ、図１０．１１ｂ、図１０．１２ａ及び図１０．１２ｂに示されている実施形態によって形成されるような密にフィットするトンネルから出現する場合、最も少ない移動を予期することができる。
【００４８】
現在の実施形態及び好ましい実施形態のＡ図に、あまり好ましくない直線的な穴３４ａ及びスロット３４ｂ等の他の実施形態とともにティアドロップ形の穴３４が図１１に示されている。
【００４９】
図１２は、特に異なるタイプの拡径ヘッド（４８）を示す三重ワイヤ５の後面図を示している。これらの形状の幾つかは、より大きい平坦な表面積の範囲を有するものもあるため、優れた操作特性を提供する。しかし、これらの幾つかは、製造するのに高価であり、より大径の管（４６）を使用する。
【００５０】
図１３は細長い装置の異なる可能な形態を示している。図１３．１及び図１３．２は、ヒップスクリュ３を通って突出する２つの平坦な予め反った平坦部を示している。図１３．１は、互いには溶接されないが、２つの穴又はスロットからなるヒップスクリュのみにおいて溶接される、２つの異なる別個の平坦な予め反った平坦部を示している。図１３．２は、最小限の長さだけ互いに溶接されてから分離される、２つの平坦な予め反った平坦部を示している。この場合、ヒップスクリュは１つの穴又はスロットからなる。図１３．３は、３つのスロット又は穴を用いて、円形のワイヤではなく３つの正方形の断面のワイヤからなる。図１３．４は、３つのワイヤではなく４つのワイヤからなり、ヒップスクリュも４つの穴又はスロット３４からなる。
【００５１】
図（１４）において、大腿骨（２００）は大腿骨骨幹軸（２０１）を含み、大腿骨骨幹軸（２０１）の上部には、大腿骨頚部（２０３）及び実質的に球状の大腿骨頭（２０４）につながる大転子（２０２）が位置する。大腿骨骨幹軸（２０１）は、硬質の皮質外層（２０５）及び髄管（２０６）からなる。
【００５２】
好ましい実施形態：
髄内管２はこの場合に約２００ｍｍの長さであり、近位７直径は１５．５ｍｍである。しかし、他の実施形態では、直径は１２ｍｍ〜１７ｍｍの範囲の任意の直径から選択することができる。遠位部分８の直径は、この場合は１１ｍｍであるが、他の実施形態では、８ｍｍ〜１５ｍｍであり得る。管の遠位端の軸と傾斜した固定穴１０の軸との間の角度は約１２５度であるが、他の実施形態では、角度は１１５度〜１５０度の範囲のいずれかから選択することができる。水平スロットの長さは１０ｍｍであるが、図３に示されているように、離間した一対の穴、又は、１つの長円形の穴及び１つの穴があり得る。
【００５３】
この好ましい実施形態では、管２にわたる上側近位部分７の軸は、管２の下側遠位部分８の軸と同軸ではなく、４°の角度にある。他の実施形態では、この角度は異なり得る。
【００５４】
この実施形態では、ヒップスクリュ３は、細長い装置５用の３つの等間隔に角度が付いたティアドロップ形の穴３４からなる。他の実施形態は、細長い装置５に使用することができる異なるスロット形態を含むことができる。ヒップスクリュ３は、１０．５ｍｍの直径、及び、５ｍｍの増分で６０ｍｍ〜１４０ｍｍから選択される長さを有する。必要であれば異なる直径を選択することができる。
【００５５】
現在のロックスクリュの直径は約４．５ｍｍであり、他の実施形態では変わり得る。しかし、長さは、ヘッドが大腿骨の骨幹軸の外側に突出し、セルフタッピング部分４１が大腿骨の反対側の壁への経路を切り開くように選択される必要がある。
【００５６】
本発明の実施形態を示し説明したが、本発明の新規の主旨及び範囲から逸脱することなく、種々の変更及び置換を当業者によって行うことができることを理解されたい。
【図１】
0006485754.tif 000002
【図２】
0006485754.tif 000003
【図３】
0006485754.tif 000004
【図４】
0006485754.tif 000005
【図５】
0006485754.tif 000006
【図６】
0006485754.tif 000007
【図７】
0006485754.tif 000008
【図８】
0006485754.tif 000009
【図９】
0006485754.tif 000010
【図１０】
0006485754.tif 000011
【図１１】
0006485754.tif 000012
【図１２】
0006485754.tif 000013
【図１３】
0006485754.tif 000014
【図１４】
0006485754.tif 000015